(57)【要約】      （修正有）【課題】チップ没入操作を繰り返し行なった場合でも筆記不良が生じるおそれがなく、しかも、チップ上向き状態で誤って落下させた場合でもボール脱落のおそれがないノック式ボールペンを提供する。【解決手段】軸筒２内にレフィル３を前後方向に移動可能に収容し、軸筒２内にレフィル３を後方に付勢するレフィルバネ７を配置する。レフィル３のインキ収容筒４内に、剪断減粘性を有するインキ４１と該インキ４１の消費に伴って前進する追従体４２とを収容する。ボールペンチップ５をインキ収容筒４の先端に取り付ける。ボール押しバネが、ボールを前方に付勢する。軸筒２後端より後方に突出するノック部９を前方に押圧操作し、先端孔２１からボールペンチップ５が突出する。レフィルバネ７の弾発力を１５０ｇ〜２５０ｇに設定する。ボール押しバネの弾発力を１５ｇ〜２５ｇに設定する。【選択図】図１
0003148545.tif 000002
【実用新案登録請求の範囲】
【請求項１】
軸筒内にレフィルを前後方向に移動可能に収容し、前記軸筒内に前記レフィルを後方に付勢するレフィルバネを配置し、前記レフィルが、剪断減粘性を有するインキと該インキの消費に伴って前進する追従体とを収容したインキ収容筒と、該インキ収容筒の先端に取り付けたボールペンチップと、前記ボールペンチップの先端のボールを前方に付勢し該ボールをボールペンチップ先端の内向きの先端縁部の内面に密接させるボール押しバネとを備え、軸筒後端より後方に突出するノック部を前方に押圧操作することにより軸筒の先端孔からボールペンチップが突出するノック機構を備えたノック式ボールペンであって、前記レフィルバネの弾発力を１５０ｇ〜２５０ｇに設定し、前記ボール押しバネの弾発力を１５ｇ〜２５ｇに設定したことを特徴とするノック式ボールペン。
【請求項２】
ボールペンチップ先端のボールの直径が０．５ｍｍ以下である請求項１記載のノック式ボールペン。
【請求項３】
ボールペン全体の重量が１０ｇ以下であり、且つ、レフィルの重量が１．５ｇ以下である請求項１または２記載のノック式ボールペン。
【請求項４】
チップ上向き状態で床面等から任意の高さより落下させたとき、床面等の衝突面により、ノック部を前方に押圧しノック機構を作動させてチップ没入状態からチップ突出状態に移行させることが可能な落下高さの最小値を、１５０ｍｍ〜３５０ｍｍに設定した請求項１乃至３のいずれかに記載のノック式ボールペン。
【考案の詳細な説明】
【技術分野】
【０００１】
本考案は、ノック式ボールペンに関する。尚、本考案で「前」とはボールペンチップ側を指し、「後」とはノック部側を指す。
【背景技術】
【０００２】
従来この種のノック式ボールペンにおいて、特許文献１には、筆記具用インキを収容したレフィルを、軸筒内にスプリングにより軸筒の後端方向へ付勢して摺動自在に配置し、ノック体を操作することにより、レフィル先端のペン先部を軸筒の先端開口部より出没可能なノック機構を備えたノック式筆記具において、ノック体の操作荷重を５００〜８００ｇに設定したことを特徴とするノック式筆記具が記載されている。
【０００３】
【特許文献１】特許第３０２７１３１号公報
【考案の開示】
【考案が解決しようとする課題】
【０００４】
前記従来のボールペンは、スプリング（本考案のレフィルバネ）の弾発力が大きいため、軸筒先端開口からボールペンチップが突出した状態からボールペンチップを没入状態にさせるための操作（即ちチップ没入操作）を行なうと、レフィルが勢いよく後方に移動し、その際に大きな衝撃がレフィルに加わる。前記チップ没入操作をいたずらに繰り返すと、ボールペンチップ先端から空気が混入し、筆跡かすれや筆記不能等の筆記不良が生じるおそれがある。
【０００５】
また、チップ上向き時のボールペンチップ先端からの空気混入を防止するために、ボールペンチップ内にボール押しバネを配置し、それにより、ボールを前方に付勢して該ボールをボールペンチップ先端の先端縁部内面に密接させる構成も知られている。しかし、前記構成のノック式ボールペンをチップ上向き状態で床面等に誤って落下させたとき、ノック部が床面等に衝突してレフィル後端に強い衝撃が加わるとともに、軸筒が慣性力によりレフィルバネの弾発力に抗して後方（下方）に移動し、レフィルの前側肩部が軸筒の先端孔後方の内壁に勢いよく衝突する。その際、ボール押しバネによりボールが勢いよく前方に突き押されて、ボールが内向きの先端縁部を押し広げて外部に脱落し、筆記不能となるおそれがある。特に、ボールの直径が比較的小さい場合（例えばボールの直径が０．５ｍｍ以下の場合）、ボールペンチップの先端縁部が薄肉となり該先端縁部の強度が低下するため、前記チップ上向き状態での落下により、前記ボール脱落が生じやすい。
【０００６】
本考案は、前記従来の問題点を解決するものであって、チップ没入操作を繰り返し行なった場合でも筆記不良が生じるおそれがなく、しかも、チップ上向き状態で誤って落下させた場合でもボール脱落のおそれがないノック式ボールペンを提供しようとするものである。
【課題を解決するための手段】
【０００７】
本考案者は、前記課題を解決するために、鋭意検討を重ねた結果、レフィルバネの弾発力とボール押しバネの弾発力を特定の範囲に設定することにより、前記課題を解決できることを見出した。
【０００８】
［１］即ち、本考案は、軸筒２内にレフィル３を前後方向に移動可能に収容し、前記軸筒２内に前記レフィル３を後方に付勢するレフィルバネ７を配置し、前記レフィル３が、剪断減粘性を有するインキ４１と該インキ４１の消費に伴って前進する追従体４２とを収容したインキ収容筒４と、該インキ収容筒４の先端に取り付けたボールペンチップ５と、前記ボールペンチップ５の先端のボール５１を前方に付勢し該ボール５１をボールペンチップ５先端の内向きの先端縁部５２の内面に密接させるボール押しバネ６とを備え、軸筒２後端より後方に突出するノック部９を前方に押圧操作することにより軸筒２の先端孔２１からボールペンチップ５が突出するノック機構を備えたノック式ボールペンであって、前記レフィルバネ７の弾発力を１５０ｇ〜２５０ｇに設定し、前記ボール押しバネ６の弾発力を１５ｇ〜２５ｇ（好ましくは１５ｇ〜２０ｇ）に設定したことを要件とする。
【０００９】
前記ノック式ボールペン１において、レフィルバネ７の弾発力が１５０ｇ以上であることにより、チップ上向き状態で床面等に誤って落下させたとき、軸筒２がレフィル３に対して後方に移動することを抑え、レフィル３の前側肩部３１が軸筒２内壁に勢いよく衝突することを防止する。その結果、チップ上向き状態で誤って落下させた際のボール脱落の発生を抑える。もし、前記レフィルバネ７の弾発力が１５０ｇより小さい場合、チップ上向き状態で床面等に誤って落下させたとき、軸筒２が慣性力によりレフィルバネ７の弾発力に抗して後方に移動し、レフィル３の前側肩部３１が軸筒２内壁に勢いよく衝突し、それにより、ボール脱落のおそれがある。
【００１０】
前記ノック式ボールペン１において、レフィルバネ７の弾発力が２５０ｇ以下であることにより、チップ没入操作を繰り返し行なっても、ボールペンチップ５先端から空気が混入することを抑止し、筆跡かすれや筆記不能等の筆記不良の発生を抑えることができる。もし、前記レフィルバネ７の弾発力が２５０ｇより大きい場合、チップ没入時の衝撃が大きすぎるため、チップ没入操作を繰り返し行なうと、ボールペンチップ５先端から空気が混入し、筆跡かすれや筆記不能等の筆記不良が生じるおそれがある。
【００１１】
前記ノック式ボールペン１において、ボール押しバネ６の弾発力が１５ｇ以上であることにより、チップ没入操作を繰り返し行なっても、ボールペンチップ５先端から空気が混入することを抑止し、筆跡かすれや筆記不能等の筆記不良の発生を抑えることができる。さらに、ボール押しバネ６の弾発力が１５ｇ以上であることにより、チップ上向き状態で誤って落下させた際、ボール押しバネ６が前後に大きくがたつかないため、落下衝撃時にボール押しバネ６の先端がボールを勢いよく前方に突くことを回避でき、ボール脱落の発生を抑えることができる。もし、前記ボール押しバネ６の弾発力が１５ｇより小さい場合、チップ没入操作を繰り返し行なうと、ボールペンチップ５先端から空気が混入し、筆跡かすれや筆記不能等の筆記不良が生じるおそれがある。さらに、前記ボール押しバネ６の弾発力が１５ｇより小さい場合、チップ上向き状態で誤って落下させた際、落下衝撃によってボール押しバネ６の先端がボール５１を勢いよく前方に突き押し、ボール５１を外部に脱させるおそれがある。
【００１２】
前記ノック式ボールペン１において、ボール押しバネ６の弾発力が２５ｇ以下（好ましくは２０ｇ以下）であることにより、筆記時の強い筆圧が不要となり、筆記感を低下させない。もし、前記ボール押しバネ６の弾発力が２５ｇより大きい場合、筆記時、ボールを後退させてボールペンチップ５先端からインキを吐出させるには、強い筆圧が必要となり、筆記感が低下する。
【００１３】
前記ノック機構は、少なくともチップ没入状態からチップ突出状態にするための操作が、ノック部９を前方へ押圧する操作であればよく、チップ突出状態からチップ没入状態にするための操作（即ちチップ突出状態を解除する操作）は、例えば、ノック部９の前方への押圧操作、または、クリップの玉部側を径方向外方に持ち上げる操作等、いずれであってもよい。
【００１４】
尚、本考案で、前記レフィルバネ７の弾発力とは、チップ没入状態からチップ突出状態にするためのノック部９の操作荷重をいう。前記ボール押しバネ６の弾発力とは、ボール５１を後方に押圧してボール５１と先端縁部５２との密接状態を解除可能な荷重をいう。
【００１５】
［２］前記ノック式ボールペン１において、ボールペンチップ５先端のボール５１の直径が０．５ｍｍ以下（好ましくは０．２５ｍｍ〜０．４５ｍｍ）であることが好ましい。
【００１６】
前記ノック式ボールペン１は、前記ボールペンチップ５の先端のボール５１の直径を０．５ｍｍ以下（好ましくは直径０．２５ｍｍ〜０．４５ｍｍ）の極小ボールとしたことにより、細幅の筆跡が得られる。また、前記ノック式ボールペン１は、前記ボールペンチップ５の先端のボール５１の直径を０．５ｍｍ以下に設定したことにより、ボールペンチップ５の先端縁部５２の強度が低下し、ペン先上向き状態での落下衝撃時のボール脱落の回避に不利となるが、前記レフィルバネ７の弾発力を１５０ｇ〜２５０ｇに設定し且つ前記ボール押しバネ６の弾発力を１５ｇ〜２５ｇに設定したことにより、チップ上向き状態で落下させた場合でもボール脱落のおそれがない極小ボールを備えたノック式ボールペンとなる。
【００１７】
［３］前記ノック式ボールペン１において、ボールペン全体の重量が１０ｇ以下（好ましくは４ｇ〜９ｇ）であり、且つ、レフィル３の重量が１．５ｇ以下（好ましくは０．４ｇ〜１．０ｇ）であることが好ましい。
【００１８】
前記ノック式ボールペン１は、ボールペン全体の重量が１０ｇ以下（好ましくは４ｇ〜９ｇ）であり、レフィル３の重量が１．５ｇ以下（好ましくは０．４ｇ〜１．０ｇ）であることにより、ボールペン全体の重量及びレフィル３の重量を小さくし、誤って床面等に落下させても、その衝撃を小さくでき、ボール脱落をより一層回避できる。
【００１９】
［４］前記ノック式ボールペン１において、チップ上向き状態で床面等から任意の高さより落下させたとき、床面等の衝突面Ｇにより、ノック部９を前方に押圧しノック機構を作動させてチップ没入状態からチップ突出状態に移行させることが可能な落下高さＨの最小値を、１５０ｍｍ〜３５０ｍｍ（好ましくは２００ｍｍ〜３００ｍｍ）に設定したことが好ましい。
【００２０】
前記落下高さＨの最小値を、１５０ｍｍ以上（好ましくは２００ｍｍ以上）に設定したことにより、チップ上向き状態で誤って床面等に落下させたとしても、軸筒２がレフィルバネ７の弾発力により、レフィル３の前側肩部３１が軸筒２内壁に勢いよく衝突することを抑えて、ボールが外部に脱落することを回避できる。前記落下高さＨの最小値を、３５０ｍｍ以下（好ましくは３００ｍｍ以下）に設定したことにより、レフィルバネ７の弾発力を極端に大きくせず、チップ没入操作を繰り返し行なっても、ボールペンチップ５先端から空気が混入することを抑止し、筆跡かすれや筆記不能等の筆記不良の発生を抑えることができる。前記落下高さＨは、ノック式ボールペン１を、チップ上向き状態（即ちノック部９を下向き状態）で落下させたとき、落下開始から衝突面Ｇに衝突するまでの落下距離をいう。
【考案の効果】
【００２１】
請求項１によれば、前記レフィルバネの弾発力を１５０ｇ〜２５０ｇに設定し、前記ボール押しバネ６の弾発力を１５ｇ〜２５ｇに設定したことにより、チップ没入操作を繰り返し行なった場合でも筆記不良が生じるおそれがなく、しかも、チップ上向き状態で誤って落下させた場合でもボール脱落のおそれがなく、さらに、筆記時に強い筆圧を必要としないノック式ボールペンを得る。
【００２２】
請求項２によれば、ボールペンチップ先端のボールの直径を０．５ｍｍ以下に設定したことにより、チップ没入操作を繰り返し行なった場合でも筆記不良が生じるおそれがなく、しかも、チップ上向き状態で誤って落下させた場合でもボール脱落のおそれがなく、さらに、筆記時に強い筆圧を必要としない、ボールペンチップ先端に極小ボールを備えたノック式ボールペンを得る。
【００２３】
請求項３によれば、ボールペン全体の重量及びレフィルの重量を小さくし、誤って床面等に落下させても、その衝撃を小さくでき、ボール脱落をより一層回避できる。
【００２４】
請求項４によれば、チップ上向き状態で誤って床面等に落下させたとしても、レフィルバネの弾発力によって、レフィルの前側肩部が軸筒内壁に勢いよく衝突することを抑えて、ボールが外部に脱落することを回避できる。さらに、請求項４によれば、チップ没入操作動作を繰り返し行なっても、ボールペンチップ先端から空気が混入することを抑止し、筆跡かすれや筆記不能等の筆記不良の発生を抑えることができる。
【考案を実施するための最良の形態】
【００２５】
図１乃至図５に本考案の実施の形態を示す。
【００２６】
本実施の形態のノック式ボールペン１は、軸筒２と、該軸筒２内に前後方向に移動可能に収容されたレフィル３と、該レフィル３を後方に付勢し且つ軸筒２内に収容されるレフィルバネ７と、軸筒２の後端より後方に突出するノック部９を前方に押圧操作することにより、ボールペンチップ５を軸筒２の先端孔２１より出没させるノック機構とを備える。
【００２７】
（軸筒）
軸筒２は、互いに着脱自在に螺着される前軸２２と後軸２３とからなる。前記前軸２２は、合成樹脂（例えば、ポリカーボネイト）射出成形により得られる円筒体であり、その外面には、弾性材料等からなる把持部２４が形成される。前記前軸２２の先端部は、先細状となり、その先端には先端孔２１が開口される。前記前軸２２の後端部には、雄ネジ部が形成される。
【００２８】
前記後軸２３は、合成樹脂（例えば、ポリカーボネイト）の射出成形により得られる円筒体であり、その先端開口部には、前軸２２の雄ネジ部と螺合可能な雌ネジ部が形成される。前記後軸２３の後部外面には、クリップ２５が突設され、さらに、前記後軸２３の後端部には、前方への押圧操作が可能なノック部９が後方に突設される。また、前記後軸２３内部には、回転カムよりなるノック機構（図示せず）が設けられる。前記ノック機構は、ノック部９を前方へ押圧操作することにより作動し、ボールペンチップ５が先端孔２１より突出・没入する。
【００２９】
（レフィル）
前記レフィル３は、先端部にボール５１が回転可能に抱持されたボールペンチップ５と、該ボールペンチップ５のボール抱持部の後方の外周面を支持する金属製カバー部材５４と、該ボールペンチップ５及び金属製カバー部材５４が先端部に圧入固着されたペン先ホルダー８と、該ペン先ホルダー８が先端開口部に圧入固着されたインキ収容筒４とからなる。
【００３０】
前記インキ収容筒４は、合成樹脂（例えば、ポリプロピレン）の押出成形体よりなり、内部には、剪断減粘性を有する水性インキ４１と、該水性インキ４１の後端に配置され且つ前記水性インキ４１の消費に伴い前進する高粘度流体よりなる追従体４２とが充填される。
【００３１】
（ボールペンチップ）
前記ボールペンチップ５は、直円筒状の金属製細管（例えば、オーステナイト系ステンレス鋼製細管）よりなる。前記ボールペンチップ５の先端近傍には、内方への押圧変形により複数個（具体的には４個）の内方突起が形成され、それにより、ボール受け座５３が構成される。さらに、前記ボールペンチップ５の先端には、内方への押圧変形により、環状の内向きの先端縁部５２が形成される。前記先端縁部５２と前記ボール受け座５３により、ボール抱持部が構成され、そこに、回転可能にボール５１が抱持される。本実施の形態では、前記ボール５１の外径が０．３ｍｍまたは０．４ｍｍのものが採用される。尚、本考案において、ボールペンチップ５は、切削加工によりボール受け座５３を形成する構成でもよい。
【００３２】
前記金属製カバー部材５４は、ボールペンチップ５の外周面を支持する小径部と、該小径部の後方に形成され且つペン先ホルダー８の前部外面に固着される大径部とからなる。前記金属製カバー部材５４の大径部の外面は、軸筒２の先端孔２１の内面と摺動可能であり、その外径は、軸筒２の先端孔２１の内径より僅かに小さく設定される。前記金属製カバー部材５４により、筆記時のボールペンチップ５のぐらつきを防止すると同時に、先端孔２１の内面との安定した接触が可能となり、筆記時の金属製カバー部材５４及びペン先ホルダー８先端部のぐらつきが防止される。
【００３３】
前記ペン先ホルダー８は、合成樹脂（例えば、ポリプロピレン）の射出成形により得られる。前記ペン先ホルダー８は、ボールペンチップ５及び金属製カバー部材５４が固着される円筒状前部と、該円筒状前部の後方に連設され且つインキ収容筒４の先端面に当接される鍔部と、該鍔部の後方に連設され且つインキ収容筒４の先端開口部内面に圧入される円筒状後部とからなる。
【００３４】
（ボール押しバネ）
前記ボールペンチップ５内部及びペン先ホルダー８内部には、ストレート部６１と該ストレート部６１の後方に一体に連設されるコイル部６２とからなるボール押しバネ６が配置される。前記ボール押しバネ６のストレート部６１は、ボールペンチップ５内に挿入され、ボール５１の後面を前方に押圧し、ボール５１前面と先端縁部５２内面とを環状に密接させる。前記ボール押しバネ６のコイル部６２の後端部には、径方向外方に膨出する密着巻部が形成され、前記密着巻部がペン先ホルダー８内壁の内向突起８１に係止される。尚、本実施の形態では、前記ボール押しバネ６の弾発力は、１５ｇ〜２０ｇ（グラム）に設定される。
【００３５】
前記ボール押しバネ６の弾発力により、非筆記時においては、ボール５１が内向きの先端縁部５２の内面に密接され、ボールペンチップ５先端からのインキ漏出及び空気混入を防止でき、且つ、筆記時においては、筆圧によりボール５１が後退して、ボール５１と内向きの先端縁部５２の密接状態が解除され、インキがボールペンチップ５先端より吐出される。
【００３６】
（レフィルバネ）
軸筒２内には、レフィルバネ７（具体的には圧縮コイルスプリング）が収容される。前記レフィルバネ７の前端は、軸筒２内壁（前軸２２内壁）の段部に係止され、前記レフィルバネ７の後端は、レフィル３側壁の膨出部３２に係止される。前記レフィルバネ７により、前記レフィル３及びノック部９が後方に付勢される。ノック操作の際、前記レフィルバネ７の後方への付勢に抗して、ノック部９を前方へ押圧操作する。前記レフィルバネ７の弾発力は、１５０ｇ〜２５０ｇ（グラム）に設定される。
【００３７】
本実施の形態のノック式ボールペン１において、チップ上向き状態で床面等の衝突面Ｇから任意の高さより落下させたとき、床面（例えばコンクリート床面）等の衝突面Ｇにより、ノック部９を前方（上方）に押圧しノック機構を作動させてチップ没入状態からチップ突出状態に移行させることが可能な落下高さＨの最小値を、２００ｍｍ〜３００ｍｍ（ミリメートル）に設定した。（図５参照）
【００３８】
（ノック機構）
ノック機構は、回転カムを用いたノック式機構であり、軸筒２内に配置された円筒状のカム本体と、該カム本体内のカム部と係合し且つレフィル３後端と当接する回転部材と、該回転部材と係合し且つ軸筒２後端より突出するノック部９とからなる。前記ノック機構は、チップ突出操作、チップ没入操作の両操作が、ノック部９を前方へ押圧するダブルノック式である。
【００３９】
（重量）
本実施の形態のノック式ボールペン１は、ボールペン全体の重量が４ｇ〜９ｇ（グラム）であり、レフィル３の重量が０．４ｇ〜１．０ｇ（グラム）である。それにより、ボールペン全体の重量及びレフィル３の重量を小さくし、誤って床面等に落下させても、その衝撃を小さくでき、ボール脱落をより一層回避できる。
【図面の簡単な説明】
【００４０】
【図１】本考案の実施の形態のチップ没入状態を示す縦断面図である。
【図２】本考案の実施の形態のチップ突出状態を示す縦断面図である。
【図３】図２の要部拡大縦断面図である。
【図４】本考案の実施の形態のレフィルの縦断面図である。
【図５】本考案の実施の形態のノック式ボールペンをチップ上向き状態で落下させる直前の状態を示す図である。
【符号の説明】
【００４１】
１  ノック式ボールペン
２  軸筒
２１  先端孔
２２  前軸
２３  後軸
２４  把持部
２５  クリップ
３  レフィル
３１  前側肩部
３２  膨出部
４  インキ収容筒
４１  インキ
４２  追従体
５  ボールペンチップ
５１  ボール
５２  先端縁部
５３  ボール受け座
５４  カバー部材
６  ボール押しバネ
６１  ストレート部
６２  コイル部
７  レフィルバネ
８  ペン先ホルダー
８１  内向突起
９  ノック部
Ｈ  落下高さ
Ｇ  衝突面
【図１】
0003148545.tif 000003
【図２】
0003148545.tif 000004
【図３】
0003148545.tif 000005
【図４】
0003148545.tif 000006
【図５】
0003148545.tif 000007